(57)【要約】      （修正有）【課題】ＲＦＩＤチップ及びその読取装置に対応させ、劇場での管理を単純化し、劇場のサービスの質を高めることができる３Ｄメガネの構造を提供する。【解決手段】３Ｄメガネは、メガネフレーム１１、レンズ１２、メガネテンプル１３を備え、ＲＦＩＤチップ１４はエムベディッド式或いは表面粘着式によりメガネフレーム１１と結合する。劇場人員は３Ｄメガネ１０を読取装置にかけて、３Ｄメガネ１０が清掃消毒済みであるか、未清掃消毒であるかを判定し、観客の入退場管理、チケット事務、記念品の配布管理、化粧室への誘導サービスを行う。映画などの終了時には、読取装置を通して、３Ｄメガネ１０の返却確認作業を行い、劇場のサービスの質を大幅に向上させることができる。【選択図】図１
0003167073.tif 000002
【実用新案登録請求の範囲】
【請求項１】
３Ｄメガネ、RFIDチップを備え、
前記３Ｄメガネは、メガネフレーム、一対のレンズ、前記メガネフレームの両側から後方へと一体に延伸する一対のメガネテンプルを備えて構成し、
前記RFIDチップは、前記メガネフレーム上の適当な部位に設置し、
前記３Ｄメガネは、３Ｄシアター、或いは３Ｄ映画館などの場所で専用に使用され、前記３Ｄメガネに前記RFIDチップを結合することで、劇場で使用する各３Ｄメガネはすべて、専属の識別コードを備え、RFID読取装置により読み取り及び識別が可能であることを特徴とする３Ｄメガネの構造。
【請求項２】
前記RFIDチップは、エムベディッド式の構造により、前記メガネフレームと結合することを特徴とする請求項１に記載の３Ｄメガネの構造。
【請求項３】
前記RFIDチップは、表面粘着式の構造により、前記メガネフレームと結合することを特徴とする請求項１に記載の３Ｄメガネの構造。
【請求項４】
前記３Ｄシアター或いは３Ｄ映画館は、劇場の入口端を備え、
前記RFID読取装置により、３ＤメガネのID識別コードを感知し、
アプリケーションソフトを通して、データベース中から、「清掃消毒済み」或いは「未清掃消毒」状態を読み取り、表示スクリーン上に表示することを特徴とする請求項１に記載の３Ｄメガネの構造。
【請求項５】
前記３Ｄシアター或いは３Ｄ映画館は、劇場の化粧室廊下に設置するRFID読取装置を備え、
前記RFID読取装置は、３ＤメガネのID識別コードを感知し、劇場のサービス人員に通知し、誘導サービスを提供することを特徴とする請求項１に記載の３Ｄメガネの構造。
【請求項６】
前記３Ｄシアター或いは３Ｄ映画館は、劇場の出口端廊下に設置するRFID読取装置を備え、
前記RFID読取装置は、３ＤメガネのID識別コードを感知し、劇場のサービス人員に通知し、早めに劇場を離れる観客に誘導サービスを提供することを特徴とする請求項１に記載の３Ｄメガネの構造。
【請求項７】
前記３Ｄシアター或いは３Ｄ映画館は、劇場の出口端を備え、
前記RFID読取装置により、３ＤメガネのID識別コードを感知し、
アプリケーションソフトを通して、データベース中の状態を返却済みに変更し、前記表示スクリーン上に返却済み、再度のご来場をお待ち申し上げておりますなどの文字を表示させることを特徴とする請求項１に記載の３Ｄメガネの構造。
【請求項８】
前記３Ｄシアター或いは３Ｄ映画館は、回収ステーションを備え、
前記回収ステーションの３Ｄメガネは、集められた後に、清掃と消毒作業を施されることを特徴とする請求項１に記載の３Ｄメガネの構造。
【考案の詳細な説明】
【技術分野】
【０００１】
本考案は３Ｄメガネの構造に関し、特に３Ｄシアター或いは３Ｄ映画館などの場所で専用に使用する３Ｄメガネで、RFID(Radio Frequency Identification)チップ及びその読取装置に対応し、劇場での管理を単純化し、劇場のサービスの質を高めることができる３Ｄメガネの構造に関する。
【背景技術】
【０００２】
３Ｄメガネは、教育、娯楽、プレゼンテーション、科学研究などの各領域に幅広く使用されており、特に映画館、アミューズメントパーク、博物館の３Ｄシアターなどでしばしば見られる。
この種の特殊な場所でなければ使用しない３Ｄメガネは、回収して再使用する必要があるため、３Ｄメガネの貸出し、返却、清掃消毒まで、合理的な管理メカニズムがなければ、効率を上げることはできない。
【０００３】
しかし、従来の３Ｄメガネには、専属の識別コードがないため、劇場における応用と管理において、非常に不便である。
一方、公知のRFID(Radio Frequency Identification)技術は、公共交通機関を利用する際に用いるプリペイドカード(悠遊カード)、高速道路の通行料支払いに用いるETCカード、ペット用のIDチップ、図書館用の盗難防止チップ、住宅の玄関に用いる電子ロック(MiFareチップ)など、我々の日常生活に既に広く応用されている。
工商業においては、RFIDの特性は、物流業及び卸売り分野に属する倉庫運輸などの物品の流通管理、追跡、識別に特に適している。
RFIDの技術は日に日に成熟しているが、前記した劇場において、それが使用されている例はいまだ見られない。
本考案は、従来の３Ｄメガネの構造の上記した欠点に鑑みてなされたものである。
【考案の概要】
【考案が解決しようとする課題】
【０００４】
本考案が解決しようとする課題は、３Ｄシアター或いは３Ｄ映画館などの場所で専用に使用され、RFIDチップ及びその読取装置に対応し、劇場での管理を単純化し、劇場のサービスの質を高めることができる３Ｄメガネの構造を提供することである。
【課題を解決するための手段】
【０００５】
上記課題を解決するため、本考案は下記の３Ｄメガネの構造を提供する。
３Ｄメガネの構造は、３Ｄメガネフレーム上の適当な部位にRFIDチップを設置し構成し、該３Ｄメガネは、３Ｄシアター、或いは３Ｄ映画館などの場所で専用に使用され、基本的には、メガネフレーム、レンズ、メガネテンプルを備えて構成し、
該RFIDチップは、エムベディッド式、或いは表面粘着式により、該メガネフレームと結合し、
該３Ｄメガネに該RFIDチップを結合することで、劇場で使用する各３Ｄメガネはすべて、専属の識別コードを備え、
３Ｄメガネの構造を実際に応用する際には、観客がメガネを受け取ると、RFID読取装置はメガネのIDを感知し、アプリケーションソフトを通して、データベース中からその状態を読み取り、その状態に応じて、「清掃消毒済み」或いは「未清掃消毒」などと表示スクリーン上に表示し、
該３Ｄメガネの状態が、「未清掃消毒」であれば、回収ステーションに戻され、新たな３Ｄメガネを受け取り、
該３Ｄメガネの状態が、「清掃消毒済み」であれば、該３Ｄメガネは使用者と共に劇場に入り使用され、この時、データベースの３Ｄメガネ状態の記録は「観客使用中」となり、映画の放映中に、観客が化粧室に立つ場合には、劇場人員は誘導することが必要であり、そのため廊下位置にRFID読取装置を設置し、システムにより先ず劇場のサービス人員に通知することで、業者はすばやい誘導サービスを提供することができ、
このサービス作業は、早めに劇場を離れる観客にも適用することができ、
映画などが終了した時には、劇場出口端位置で、３Ｄメガネを返却してもらい、その際にも同様に、RFID読取装置は、アプリケーションソフトにより、データベースの状態を「既に返却」に変更し、表示スクリーン上に「返却済み、再度のご来場をお待ち申し上げております」などの文字を表示させることができ、
回収後の各３Ｄメガネは、集められた後に、清掃と消毒作業を施され、作業が完了すると、RFID読取装置により読み取り、データベースが記録する３Ｄメガネの状態を「清掃消毒済み」に変更し、該３Ｄメガネを倉庫に送り保管し、次の貸し出しに備える。
【考案の効果】
【０００６】
本考案の３Ｄメガネの構造は、RFIDチップを３Ｄメガネに結合することで、明らかに迅速かつ効果的に劇場管理作業をシンプルにでき、劇場のサービスの質を高めることができる。
【図面の簡単な説明】
【０００７】
【図１】本考案３Ｄメガネの構造一実施例の立体外観図である。
【図２】本考案３Ｄメガネの構造を、劇場に応用する表示図である。
【図３】本考案３Ｄメガネの構造を、劇場に応用するフローチャートである。
【考案を実施するための形態】
【０００８】
以下に図面を参照しながら本考案を実施するための最良の形態について詳細に説明する。
【０００９】
本考案３Ｄメガネの構造の一実施例の立体外観図である図１に示すように、本考案３Ｄメガネの構造は、３Ｄメガネ１０のメガネフレーム１１上の適当な部位に、RFIDチップ１４を設置し、構成する。
【００１０】
図１に示すように、３Ｄメガネ１０は、３Ｄシアター、或いは３Ｄ映画館などの場所で専用に使用され、その基本的な構成部材は、メガネフレーム１１、一対のレンズ１２、メガネフレーム１１の両側から後方へと延伸する一対のメガネテンプル１３を備える。
【００１１】
図１に示すように、RFIDチップ１４は、エムベディッド式、或いは表面粘着式により、メガネフレーム１１と結合する。
図１中に示す３Ｄメガネ１０の実施例において、そのRFIDチップ１４は、メガネフレーム１１片側のメガネテンプル１３前端に結合される。
RFIDチップ１４は当然、メガネフレーム１１上の他の位置に結合することもできる。
３Ｄメガネ１０にRFIDチップ１４を結合したことで、劇場で使用される各３Ｄメガネ１０はみな、専属の識別コードを持つことになり、RFID読取装置で読み取り、識別することができる。
【００１２】
図２は、本考案３Ｄメガネの構造を、劇場に応用する表示図である。
図２では、典型的な劇場空間を平面で示し、本考案３Ｄメガネ１０の構造に関連する設備の配置を示す。
図２に示すように、本考案３Ｄメガネ１０の構造の実際の応用においては、入場する観衆は、貸出しステーション２０から、入場券を見せることで１個の３Ｄメガネ１０を受け取る。
【００１３】
劇場の入口端では、RFID読取装置２１により、３Ｄメガネ１０を感知し、アプリケーションソフトにより、データベース中からその状態を読み取り、その状態を表示スクリーン２２上に、「清掃消毒済み」或いは「未清掃消毒」などと表示する。
３Ｄメガネ１０の状態が「未清掃消毒」と表示されたなら、貸出しステーション２０に戻り、別の３Ｄメガネ１０を改めて受け取る必要がある。
３Ｄメガネ１０の状態が「清掃消毒済み」と表示されたなら、３Ｄメガネ１０は使用者と共に劇場に入り使用に供することができる。
この時、データベースは、３Ｄメガネ１０の状態を「観衆使用中」と記録する。
劇場業者は、実際の必要に応じて、上記した劇場入口端に、カメラを設置し、コンピューターに接続し、RFID読取装置２１が３Ｄメガネ１０を感知すると同時に、カメラを起動し画像を取り込むことで、３Ｄメガネ１０が遺失した際に、それを受け取った観衆を特定して確認することができる。
【００１４】
映画の放映中に、観客が化粧室に行きたくなった場合、劇場人員は誘導することが必要である。
そのため、化粧室の廊下位置にRFID読取装置２３を設置し、システムにより先ず劇場のサービス人員に通知することで、業者はすばやい誘導サービスを提供することができる。
このサービス作業は、早めに劇場を離れる観客にも適用することができる。
【００１５】
映画などが終了した時には、劇場出口端位置で、３Ｄメガネ１０を返却する。
その際にも同様に、出口端位置のRFID読取装置２４は、アプリケーションソフトにより、データベースの状態を「既に返却」に変更し、表示スクリーン２５上に「返却済み、再度のご来場をお待ち申し上げております」などの文字を表示させることができる。
回収ステーション２６の各３Ｄメガネ１０は、集められた後に、清掃と消毒作業を施される。
作業が完了すると、RFID読取装置により読み取り、データベースが記録する３Ｄメガネ１０の状態を「清掃消毒済み」に変更し、３Ｄメガネ１０を倉庫に送り保管し、次の貸し出しに備える。
【００１６】
図３は、本考案３Ｄメガネ１０の構造を、劇場に応用するフローチャートである。
上記した本考案の実際の応用例を、図３の応用フローチャートにより、より明確に表示する。
図３に示すように、実際の応用例のプロセスは、以下の通りである。
【００１７】
貸出しステーション２０は、チケットを購入した観衆３０に、メガネを貸出す３１。
各３Ｄメガネ１０は、入口端の読取装置によりRFIDを読み取る３２。
表示スクリーン２５が清掃消毒済み３３を表示したなら、そのまま入場し映画を鑑賞することができる３４。
表示スクリーン２５が未清掃消毒３５を表示したなら、貸出しステーションに戻り、３Ｄメガネ１０を返却し、新たな３Ｄメガネ１０の貸出しを受ける３１。
未清掃消毒の３Ｄメガネ１０は、清掃消毒に直接送られる３８。
映画の鑑賞３４中、劇場人員は観客を助け、化粧室(及び、早めに劇場を離れる)への誘導作業を行うことができる４０。
映画が終了すると、各３Ｄメガネ１０は、出口端において回収され３６、メガネ倉庫３９に送られ保管され、次の貸し出しに備える。
【００１８】
上記した本考案は、RFIDチップ１４を３Ｄメガネ１０に結合することで、明らかに迅速かつ効果的に劇場管理作業をシンプルにでき、劇場のサービスの質を高めることができ、前記の本考案の目的を達成することができる。
この他、本考案は、RFIDチップ１４を３Ｄメガネ１０に結合することで、以下のような機能を備える。
合理的な３Ｄメガネ１０の清掃消毒管理システムを提供し、劇場業者の確実な清掃消毒作業に対する消費者の要求を満たすことができ、消費者の衛生面での安全を保護することができる。
また、観客が３Ｄメガネ１０を劇場外に持ち出すことを回避し、または劇場業者内部管理に用いることで、３Ｄメガネ１０遺失のリスクを予防、及び減らすことができる。
さらに、本考案の３Ｄメガネ１０は、チケット販売システムと結合することで、入場人数とチケット販売枚数との差を計算し、観客に入場を促す際に便利で、また観客の位置の把握にも便利である。
劇場業者は、本考案と上記した応用例の実施により、観客にハイテク感を与え、集客率を上げることができる。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
１０  ３Ｄメガネ
１１  メガネフレーム
１２  レンズ
１３  メガネテンプル
１４  RFIDチップ
２０  貸出しステーション
２１  読取装置
２２  表示スクリーン
２３  読取装置
２４  読取装置
２５  表示スクリーン
２６  回収ステーション
３０  チケットを購入した観衆
３１  メガネ貸出し
３２  RFID読取り
３３  清掃消毒済み
３４  映画鑑賞
３５  未清掃消毒
３６  メガネ回収
３７  既に返却を表示
３８  清掃消毒
３９  メガネ倉庫
４０  化粧室誘導作業
【図１】
0003167073.tif 000003
【図２】
0003167073.tif 000004
【図３】
0003167073.tif 000005
【手続補正書】
【提出日】平成23年1月27日(2011.1.27)
【手続補正１】
【補正対象書類名】実用新案登録請求の範囲
【補正対象項目名】全文
【補正方法】変更
【補正の内容】
【実用新案登録請求の範囲】
【請求項１】
３Ｄメガネ、RFIDチップを備え、
前記３Ｄメガネは、メガネフレーム、一対のレンズ、前記メガネフレームの両側から後方へと一体に延伸する一対のメガネテンプルを備えて構成し、
前記RFIDチップは、前記メガネフレーム上の適当な部位に設置し、
前記３Ｄメガネは、３Ｄシアター、或いは３Ｄ映画館などの場所で専用に使用され、前記３Ｄメガネに前記RFIDチップを結合することで、劇場で使用する各３Ｄメガネはすべて、専属の識別コードを備え、RFID読取装置により読み取り及び識別が可能であることを特徴とする３Ｄメガネの構造。
【請求項２】
前記RFIDチップは、エムベディッド式の構造により、前記メガネフレームと結合することを特徴とする請求項１に記載の３Ｄメガネの構造。
【請求項３】
前記RFIDチップは、表面粘着式の構造により、前記メガネフレームと結合することを特徴とする請求項１に記載の３Ｄメガネの構造。